(57)【特許請求の範囲】
【請求項１】
互いに直交関係にある複数の搬送波からなるＯＦＤＭ信号を受信して復調するＯＦＤＭ復調回路であって、
復調前のＯＦＤＭ受信信号を分析する分析手段と、
該分析手段の分析結果に応じてＯＦＤＭ受信信号の復調処理を中止させる復調処理中止手段と
を備え、前記分析手段は、
復調前のＯＦＤＭ受信信号と、該復調前のＯＦＤＭ受信信号を遅延させた信号との相関値を求める相関手段と、
該相関手段により得られた相関値に基づき、復調処理を開始させる相関値のピーク位置と復調処理を継続させる相関値のピーク位置とをそれぞれ検出するピーク検出手段と
を有することを特徴とするＯＦＤＭ復調回路。
【請求項２】
互いに直交関係にある複数の搬送波からなるＯＦＤＭ信号を受信して復調するＯＦＤＭ復調回路であって、
復調前のＯＦＤＭ受信信号を分析する分析手段と、
該分析手段の分析結果に応じてＯＦＤＭ受信信号の復調処理を中止させる復調処理中止手段と
を備え、前記分析手段は、
復調前のＯＦＤＭ受信信号と、対象となるＯＦＤＭ方式に応じて予め準備された信号系列との相関値を求める相関手段と、
該相関手段により得られた相関値に基づき、復調処理を開始させる相関値のピーク位置と復調処理を継続させる相関値のピーク位置とをそれぞれ検出するピーク検出手段と
を有することを特徴とするＯＦＤＭ復調回路。
【請求項３】
前記相関手段は、
ＯＦＤＭ受信信号の復調に用いられるウィンドウ時間幅をＴｗとしたとき、前記復調前のＯＦＤＭ受信信号を遅延させた信号の遅延時間が、ウィンドウ時間幅Ｔｗ以下である
ことを特徴とする請求項１記載のＯＦＤＭ復調回路。
【請求項４】
前記ピーク検出手段は、
復調処理を開始させる相関値のピーク位置の検出閾値をＳth1、前記復調処理を継続させる相関値のピーク位置の検出閾値をＳth2としたとき、Ｓth1＜Ｓth2である
ことを特徴とする請求項１乃至３いずれかに記載のＯＦＤＭ復調回路。
【請求項５】
前記ピーク検出手段は、
復調処理を開始させる相関値のピーク位置の分析期間をＴ１、復調処理を継続させる相関値のピーク位置の分析期間をＴ２としたとき、Ｔ１＜Ｔ２である
ことを特徴とする請求項１乃至４いずれかに記載のＯＦＤＭ復調回路。
【請求項６】
前記復調処理中止手段は、
前記ピーク検出手段が復調処理を開始させる相関値のピーク位置を検出してから所定時間以内に、該ピーク検出手段が復調処理を継続させる相関値のピーク位置を検出できない場合は、ＯＦＤＭ受信信号の復調処理を中止させる
ことを特徴とする請求項１乃至５いずれかに記載のＯＦＤＭ復調回路。
【請求項７】
請求項１乃至６いずれかに記載されたＯＦＤＭ復調回路を備えることを特徴とするＯＦＤＭ受信装置。
【発明の詳細な説明】
【０００１】
【発明の属する技術分野】
本発明は、無線通信システムに用いるＯＦＤＭ（Orthogonal Frequency Division Multiplexing：直交周波数分割多重）伝送方式に適用されるＯＦＤＭ復調回路、及びこれを用いたＯＦＤＭ受信装置に関する。
【０００２】
【従来の技術】
従来のＯＦＤＭ復調回路の一例として、特開平１１−１４５９３０号公報に記載されているようなＯＦＤＭ復調回路がある。
図９は、従来のＯＦＤＭ復調回路で用いられるパケットのフレームフォーマットの一例を示す図である。
パケットＰのフレーム先頭には、搬送波周波数誤差検出、シンボル同期等を行うときに利用されるプリアンブル信号が付加されている。このプリアンブル信号は、既知で同一の２個のスタートシンボルＳＳが繰返し配置されて形成されている。
パケットＰは、最初にこのプリアンブル信号としてのスタートシンボルＳＳが２個配置された後、引き続いてガードインターバルＧＩとデータシンボルＤＳとが繰返し配置された構成となっている。
【０００３】
このプリアンブル信号としての２個のスタートシンボルＳＳ及び各データシンボルＤＳは、いずれも時間軸上の区間の長さがＴｗで、後述するＯＦＤＭ信号の変調及び復調で用いられるＩＦＦＴ（Inverse Fast Fourier Transform：逆高速フーリエ変換）及びＦＦＴ（Fast Fourier Transform：高速フーリエ変換）のウィンドウの幅と同じになっている。
ガードインターバルＧＩは、遅延波の影響を除去するためにデータシンボルＤＳの前に挿入され、その時間軸上の区間の長さはこの場合ではＴｗ/４になっている。
【０００４】
図１０は、従来のＯＦＤＭ変調回路のブロック図である。
従来のＯＦＤＭ変調回路400では、入力情報信号は、直列並列変換器401に入力され、各サブキャリア毎の情報信号に変換される。
直列並列変換器401の各出力信号（サブキャリア毎の情報信号）は、符号化変調器402にそれぞれ入力され、ＱＰＳＫ（Quadri phase shift keying：４位相偏移変調）等の符号化変調される。
符号化変調器402の各出力信号（各サブキャリア毎の符号化変調された情報信号）は、ＩＦＦＴ変換器403に入力されてＩＦＦＴ変換され、時間軸波形を有するデジタル変調波に変換される。
ＩＦＦＴ変換器403の各出力信号（各デジタル変調波）は、ガードインターバル挿入回路404に入力され、ガードインターバルＧＩが付加される。
【０００５】
ガードインターバル挿入回路404の各出力信号（ガードインターバルＧＩが付加されたデータシンボルＤＳ）は、並列直列変換器405で直列データに変換される。
並列直列変換器405の出力信号は、入力切替回路406に入力され、入力切替回路406は、この並列直列変換器405の出力信号と、記憶回路407から読み出され入力されるプリアンブル信号とを切り替えながら、ＯＦＤＭ変調信号を出力する。
入力切替回路406の出力信号、すなわち図９に示すようなＯＦＤＭ変調信号は、Ｄ/Ａ変換器408に入力されてアナログ信号に変換され、変調ベースバンド信号として出力される。
【０００６】
図１１は、従来のＯＦＤＭ復調回路のブロック図である。
従来のＯＦＤＭ復調回路500では、受信信号（受信した変調ベースバンド信号）をＡ/Ｄ変換したＯＦＤＭ受信信号は、遅延回路501，乗算器503，自乗器513，及び遅延回路551にそれぞれ入力される。
ここで、遅延回路501に入力されたＯＦＤＭ受信信号は、前述のＴｗ時間だけ遅延される。
この遅延回路501の出力信号は、共役複素信号生成回路502に入力される。
【０００７】
この共役複素信号生成回路502で生成された共役複素信号は、現在のＯＦＤＭ受信信号と乗算器503で複素乗算され、両信号の相互相関値が演算される。乗算器503の出力信号は、移動平均フィルタ504に入力される。
移動平均フィルタ504では、乗算器503の出力を移動平均して、Ｔｗ時間の平均演算を行う。移動平均フィルタ504の出力信号は、自乗器505に入力されて電力信号に変換される。自乗器505の出力信号はピーク検出器521に入力される。
また、自乗器513に入力されるＯＦＤＭ受信信号は、自乗器513で自乗演算されて、自己相関値として移動平均フィルタ514に入力される。
【０００８】
移動平均フィルタ514では、自乗器513の出力を移動平均して、Ｔｗ時間の平均演算を行う。移動平均フィルタ514の出力信号は、自乗器515に入力されて電力信号に変換され、自乗器515の出力信号はピーク検出器521に入力される。
移動平均フィルタ504，514からそれぞれ自乗器505，515を介して入力信号が供給されるピーク検出器521では、両入力信号（電力信号）を用いて、ピーク検出が行われる。
【０００９】
ピーク検出器521は、例えば自乗器505の出力信号を自乗器515の出力信号で除算した信号の大きさに基づきピークを判定し、このピークが検出されたタイミングをシンボルタイミングとして、シンボルタイミング信号を出力する。
すなわち、このピーク検出器521でピークが検出されたときは、ＯＦＤＭ受信信号のパケットが受信されたこと示し、このシンボルタイミング信号に基づいて、この受信されたＯＦＤＭ受信信号のパケットの復調処理が開始される。
【００１０】
これより、前述した遅延回路501，共役複素信号生成回路502，乗算器503，移動平均フィルタ504，自乗器505，自乗器513，移動平均フィルタ514，自乗器515，及びピーク検出器521をまとめて、シンボルタイミング信号検出部530とみなすことができる。
このピーク検出器521からのシンボルタイミング信号と移動平均フィルタ504の出力信号とを用いて、搬送波周波数誤差検出器541は、搬送波周波数誤差を検出する。
【００１１】
また、ＦＦＴウィンドウ制御回路542では、ピーク検出器521からのシンボルタイミング信号に基づいて、ウィンドウタイミング制御を行うための制御信号を出力する。
ＯＦＤＭ受信信号は、前述のシンボルタイミング信号検出部530，搬送波周波数誤差検出器541，及びＦＦＴウィンドウ制御回路542で上記信号処理を行う間、遅延回路551で遅延されて、位相回転器552に出力される。
【００１２】
位相回転器552では、ＦＦＴウィンドウ制御回路542から出力される制御信号の入力に基づき、搬送波周波数誤差検出器541の出力信号に応じて遅延回路551からの出力信号の位相を回転させ、周波数オフセットを補償したＯＦＤＭ受信信号をガードインターバル除去回路553に出力する。
【００１３】
ガードインターバル除去回路553は、シンボルタイミング信号に基づき、位相回転器552の出力信号、すなわち周波数オフセットを補償したＯＦＤＭ受信信号からガードインターバルＧＩを除去する。
直列並列変換器554では、ガードインターバル除去回路553の出力信号、すなわちガードインターバルＧＩが除去されたＯＦＤＭ受信信号を並列変換してサブキャリア毎の符号化変調された情報信号に戻し、ＦＦＴ変換器555に出力する。
【００１４】
ＦＦＴ変換器555は、直列並列変換器554から供給される信号を高速フーリエ変換して、時間領域の信号から周波数領域の信号に復調変換する。この復調変換された符号化変調された情報信号は、並列直列変換器556に入力される。
並列直列変換器556で直列データに変換された符号化変調された情報信号は、誤り訂正復号器557に入力され、誤り訂正復号器557は、誤り訂正復号を行い、出力信号として復調された入力情報信号（受信情報データ）を出力する。
【００１５】
また、誤り検出器558は、誤り訂正復号器557の出力信号、すなわち復調された入力情報信号が入力され、その誤り検出を行う。
ところで、上述した従来のＯＦＤＭ復調回路500では、移動平均フィルタ504，514で平均演算する時間Ｔｗをその分析時間として、ＯＦＤＭ受信信号とこの時間Ｔｗだけ遅延されたＯＦＤＭ受信信号との相関値を求めるようになっている。
【００１６】
図１２は、ＯＦＤＭ受信信号とこの時間Ｔｗだけ遅延されたＯＦＤＭ受信信号とが移動平均フィルタ504，514に入力されるとき、このＯＦＤＭ受信信号とこの時間Ｔｗだけ遅延されたＯＦＤＭ受信信号との相関値の大きさの時間変化を示す図である。
【００１７】
上述した従来のＯＦＤＭ復調回路500では、ピーク検出器521によって、ＯＦＤＭ受信信号と、この時間Ｔｗだけ遅延されたＯＦＤＭ受信信号との相関値の大きさが、すなわち、移動平均フィルタ514の出力と、移動平均フィルタ504の出力との相関値の大きさが、所定の閾値Ｓthを超えたところで復調処理開始のための相関値のピークが検出されたものとして、復調処理を開始するようになっている。
【００１８】
図１３は、この従来のＯＦＤＭ復調回路500の作動処理を説明するフローチャートである。
ＯＦＤＭ復調回路500は、受信信号（変調ベースバンド信号）に対する、遅延演算，移動平均演算，相関演算等といった、シンボルタイミング信号検出のための各種演算処理を受信信号待ち受け状態の処理として行い（ステップＳ511）、そのピーク検出処理によって、ＯＦＤＭ受信信号とこのＯＦＤＭ受信信号をＴｗ時間遅延させた信号との相関値の大きさがピークを示したのが検出されたとき、すなわち相関値が閾値Ｓthを超えたのが検出されたときに（ステップＳ512）、復調処理を開始する（ステップＳ513）。
【００１９】
このピーク検出のタイミングをシンボルタイミングとして、ＦＦＴウィンドウのタイミング制御や搬送波周波数誤差検出等を行い、ＯＦＤＭ受信信号はガードインターバルＧＩが除去されてＦＦＴ処理され、符号化変調された情報信号は誤り訂正復号される。そして、誤り訂正復号した結果、すなわち復調された入力情報信号は、誤り検出器558によって誤り検出処理がなされる（ステップＳ514）。
【００２０】
ここで、誤り検出器558によって、この復調された入力情報信号に誤りが検出されれば（ステップＳ515）、先のピーク検出から今まで復調した情報データを破棄し、受信信号待ち受け状態（ステップＳ511，Ｓ512からなるループ処理）に戻る。
一方、誤り検出器558によって復調された入力情報信号に誤りが検出されなければ、今まで復調した情報データを出力する（ステップＳ516）。
また、従来のＯＦＤＭ復調回路の他の例として、特開平１０−１６４１６１号公報に記載されているようなユニークワード遅延検出方式のＯＦＤＭ復調回路もある。
【００２１】
図１４は、このユニークワード遅延検出方式のＯＦＤＭ復調回路で用いられるパケットのフレームフォーマットを示す図である。
各パケットＰは、先頭にはユニークワードＵＷが付加され、このユニークワードＵＷの後にデータＤが引き続いて配置された形式になっている。
図１５は、そのＯＦＤＭ復調回路に適用されるユニークワード遅延検出回路のブロック図である。
ユニークワード遅延検出回路（以下、ＵＷ遅延検出回路と称す）600には、準同期検波信号と、この準同期検波信号中のユニークワードＵＷと同じ信号列を繰り返すユニークワード入力信号（以下、ＵＷ入力信号と称す）とが入力される。
【００２２】
準同期検波信号は、既知のユニークワードＵＷが挿入されているＯＦＤＭ変調信号を準同期検波した信号であって、当該ＯＦＤＭ変調信号とは独立した、当該ＯＦＤＭ変調信号とごく近接した周波数の局部発振信号を用いて同期的に検波してベースバンドの信号に復調したものである。そして、ＯＦＤＭ変調信号の搬送波（キャリア）とこの局部発振信号との間には、一般にキャリア周波数オフセットが存在する。
この準同期検波信号は、同相信号と直交信号との二列の信号であって、遅延回路601に入力されてＮシンボル（ただし、Ｎは任意の正数）遅延させられる。
【００２３】
遅延回路601の出力信号は、共役複素信号生成回路602に出力され、そこで複素共役化される。
乗算器603では、この共役複素信号生成回路602の出力信号と準同期検波信号とを乗算し、すなわち準同期検波信号をＮシンボル複素共役遅延検波し、その乗算結果である準同期信号のＮシンボル複素共役遅延検波信号を相関器620に出力する。
【００２４】
一方、ＵＷ入力信号は、遅延回路611でＮシンボル遅延されるとともに、共役複素信号生成回路612によって複素共役化される。
乗算器613では、この両出力信号を乗算して、ＵＷ入力信号をＮシンボル複素共役遅延検波し、その乗算結果であるユニークワードＵＷのＮシンボル複素共役遅延検波信号を相関器620に出力する。
相関器620は、ユニークワードＵＷの全シンボル長に亘って、乗算器603，613から順次それぞれ送られてくる準同期信号のＮシンボル複素共役遅延検波信号とユニークワードＵＷのＮシンボル複素共役遅延検波信号との相互相関をとる。
【００２５】
図１６は、図１５に示したＵＷ遅延検出回路600を適用した従来の信号検出回路のブロック図である。
この信号検出回路700は、ユニークワードＵＷの位置を精度良く検出するとともに、周波数オフセットの測定精度を高く保ったまま測定範囲を拡大するために、図１５に示したＵＷ遅延検出回路600を基本とし、遅延シンボル数がそれぞれＮ，Ｎ/２（ただし、この場合、０．５＜Ｎ≦１）で、遅延シンボル数が互いに異なる複数のＵＷ遅延検出回路（以下、ＤＤＤ(Ｎ)，ＤＤＤ(Ｎ/２)と略称する）720，730を備える初期アクジションモード（以下、ＩＡモードと略称する）の動作状態と、遅延シンボル数が４ＮのＵＷ遅延検出回路（以下、ＤＤＤ(４Ｎ)と略称する）740を備える微同調アクジションモード（以下、ＦＡモードと略称する）の動作状態とを有する構成になっている。
【００２６】
この信号検出回路700では、入力信号として、第１の準同期検波信号がサンプラ701に入力される。サンプラ701は、サンプリング信号発生器702から供給されるサンプリング信号に基づいて、出力信号を生成する。ここで、第１の準同期検波信号は、既知のユニークワードＵＷがデータ信号中に挿入されている直交変調信号を準同期検波した信号である。
サンプラ701の出力信号は、データバッファ710に供給されて記憶されるとともに、遅延シンボル数が互いに異なるＤＤＤ(Ｎ)720，ＤＤＤ(Ｎ/２)730に供給される。
【００２７】
ＤＤＤ(Ｎ)720は、準同期検波信号のＮシンボル複素共役遅延検波信号とユニークワードＵＷのＮシンボル複素共役遅延検波信号との相互相関をとって、ユニークワード検出器（以下、ＵＷ検出器と称す）721とユニークワード位相演算器（以下、ＵＷ位相演算器と称す）722に相互相関信号を出力する。
ＤＤＤ(Ｎ/２)730は、準同期検波信号のＮ/２シンボル複素共役遅延検波信号とユニークワードＵＷのＮ/２シンボル複素共役遅延検波信号との相互相関をとって、ＵＷ位相演算器731に相互相関信号を出力する。
【００２８】
ＵＷ検出器721は、相互相関信号の電力値と所定の閾値Ｓth1'とを比較し、この相互相関信号の電力値が所定の閾値Ｓth1'を超えると、ＩＡモードＵＷ検出信号をデータバッファ710に出力する。
データバッファ710は、ＩＡモードＵＷ検出信号を受けると、記憶されたサンプラ701の出力信号を乗算器711に出力する。
ＵＷ位相演算器722では、ＤＤＤ(Ｎ)720から供給される相互相関信号に基づいて周波数オフセット情報を得て、これを位相合成器723に出力する。
【００２９】
ＵＷ位相演算器731では、ＤＤＤ(Ｎ/２)730から供給される相互相関信号に基づいて周波数オフセット情報を得て、これを位相合成器723に出力する。
位相合成器723では、ＵＷ位相演算器722とＵＷ位相演算器731とのそれぞれ周波数オフセット情報に基づき位相を合成し、準同期検波信号のキャリアの周波数オフセット情報、すなわちＩＡモード周波数オフセット情報を生成し、これを数値制御発信器（以下、ＮＣＯと称す）724に出力する。
【００３０】
ＮＣＯ724は、位相合成器723で位相合成された周波数オフセット情報に基づき、周波数補正信号を発生させる。
乗算器711は、データバッファ710からの準同期検波信号とＮＣＯ724からの周波数補正信号とを乗算して周波数オフセットをほぼゼロに減少させた準同期検波信号を生成し、これを第２の準同期検波信号としてマッチドフィルタ712に出力する。マッチドフィルタ712では、この準同期検波信号に含まれる雑音や隣接チャネル干渉の成分が低減される。
【００３１】
マッチドフィルタ712から出力される準同期検波信号は、遅延シンボル数が４ＮのＤＤＤ(４Ｎ)740に送られ、このＤＤＤ(４Ｎ)740によって求められた相互相関信号は、ＵＷ検出器741に入力される。
ＵＷ検出器741では、相互相関信号の電力値と閾値Ｓth2'とを比較し、相互相関信号の電力値が閾値Ｓth2'を超えると、ＦＡモードＵＷ検出信号を出力する。
また、マッチドフィルタ712から出力される準同期検波信号は、ＵＷ検出器741でＦＡモードＵＷ検出信号が出力されるまで、データバッファ713で保持される。
【００３２】
データバッファ713は、ＵＷ検出器741からＦＡモードＵＷ検出信号を受けると、データバッファ713に記憶されているマッチドフィルタ712から出力された準同期検波信号を、乗算器750に出力する。
乗算器750は、データバッファ713の出力信号とＮＣＯ751の出力とを乗算し、データ信号を出力する。
クロック再生器（ＣＲ）752は、乗算器750の出力からクロックを再生してＮＣＯ751に出力し、シンボルタイミング再生器（ＳＴＲ）753は、乗算器750の出力を受けてシンボルタイミングをサンプリング信号発生器702に出力する。
次にこの信号検出回路700の作用を説明する。
【００３３】
この方式は、ユニークワードＵＷの位置を精度良く検出するとともに、周波数オフセットの測定精度を高く保ったまま測定範囲を拡大するために、図１５に示した上述したユニークワード遅延検出回路（すなわち、ＤＤＤ）600を基本とし、遅延シンボル数が互いに異なる複数のＤＤＤ(Ｎ)720，ＤＤＤ(Ｎ/２)730を備える初期アクジションモード（以下、ＩＡモードと略称する）の動作状態を持つ。
【００３４】
図１７は、この信号検出回路700のユニークワードＵＷ検出の一連の処理についてのフローチャートである。
ＩＡモードで使用するＩＡモードユニークワード遅延検出回路は、遅延シンボル数Ｎ（ただし、０．５＜Ｎ≦１）のユニークワード遅延検出回路（ＤＤＤ(Ｎ)）720と、遅延シンボル数Ｎ/２のユニークワード遅延検出回路（ＤＤＤ(Ｎ/２)）730とを備える。
ＩＡモードユニークワード遅延検出回路は、既知のユニークワードＵＷがデータ信号中に挿入されている直交変調信号を準同期検波した第１の準同期検波信号から、ＤＤＤ(Ｎ)720及びＤＤＤ(Ｎ/２)730によって第１，第２の相互相関信号を生じる（ステップＳ701）。
【００３５】
そして、ＤＤＤ(Ｎ)720から出力される第１の相互相関信号の電力値が第１のしきい値Ｓth1'を超えると、供給される第１の準同期検波信号からのユニークワードＵＷの検出を示すＩＡモードＵＷ検出信号をＵＷ検出器721から生じる一方で、ＤＤＤ(Ｎ)720及びＤＤＤ(Ｎ/２)730からそれぞれ出力される第１，第２の相互相関信号に応答し、第１の準同期検波信号の周波数オフセットＦ0を示すＩＡモード周波数オフセット情報を位相合成器723から生じる（ステップＳ702）。
【００３６】
そして、信号検出回路700は、偽ＵＷ検出を防止するために、ＩＡモードによる上記ユニークワードＵＷの検出（ステップＳ702）の後、ＦＡモードＵＷ遅延検出回路により、微同調アクジションモードの動作をさせるようになっている。
ＦＡモードＵＷ遅延検出回路は、このＦＡモードで使用するための遅延シンボル数が４ＮのＵＷ遅延検出回路（ＤＤＤ(Ｎ/４)）740を備える。
【００３７】
ＦＡモードＵＷ遅延検出回路は、ＩＡモードユニークワード遅延検出回路から出力される、第１の準同期検波信号（データバッファ710の出力）とＩＡモード周波数オフセット情報に応答する周波数補正信号（ＮＣＯ724の出力）とを乗算して周波数オフセットをほぼゼロに減少させた第２の準同期検波信号を、マッチドフィルタ712を介して、雑音や隣接チャネル干渉を減少させた後（ステップＳ703）、ＤＤＤ(４Ｎ)740によってＦＡモード相互相関信号を生じる（ステップＳ704）。
【００３８】
ＦＡモードＵＷ遅延検出回路は、このＤＤＤ(４Ｎ)740から出力される相互相関信号に応答し、ＤＤＤ(４Ｎ)740から出力されるＦＡモード相互相関信号の電力値が第２のしきい値Ｓth2'を超えると、上記第１の準同期検波信号に対応する第２の準同期検波信号からのユニークワードＵＷの検出を示すＦＡモードＵＷ検出信号を生じる（ステップＳ705）。
上記ＦＡモードＵＷ検出信号が生じると（ステップＳ705）、信号検出回路700は、ＵＷ検出動作を終了して定常モード（以下、ＳＳモードと略称する）になり、上記第２の準同期検波信号を同期検波して上記データ信号を復調する復調回路の動作になる（ステップＳ706）。
【００３９】
【発明が解決しようとする課題】
しかしながら、双方向通信では、受信信号を復調し、その受信信号の情報に基いて信号を送信しなければならないことがある。
このように信号を受信してから送信を始めるまでの時間が規定されている場合、できるだけ早く復調処理を開始させることが必要となってくる。
【００４０】
このため、先に説明した従来のＯＦＤＭ復調回路400の場合、もし誤ってプリアンブル信号検出をしてしまったときは、復調処理を完了し誤り検出を行うまではこの誤りを発見することができないため、復調処理を途中で中止することができず、この誤った信号を復調している間に本来の信号を検出することができなくなる可能性がある。
【００４１】
また、後で説明した従来の信号検出回路700の場合、受信信号を遅延検波した結果を入力としてもう一回遅延検波し、その結果が出力されてからはじめて復調処理が開始されるため、信号を受信してから復調処理を開始するまでに多くの時間を要してしまう。
また、誤った信号検出をしたときに、その復調処理を途中で中止する手段を持っていない。
【００４２】
本発明は、上記した課題を解決するために、信号を受信してから短時間で復調処理を開始し、誤って復調を開始したときには、早期に復調を中止するようにしたＯＦＤＭ復調回路、及びこれを用いたＯＦＤＭ受信装置を提供することを目的とする。
【００４３】
【課題を解決するための手段】
本発明のＯＦＤＭ復調回路は、互いに直交関係にある複数の搬送波からなるＯＦＤＭ信号を受信して復調するＯＦＤＭ復調回路であって、復調前のＯＦＤＭ受信信号を分析する分析手段と、該分析手段の分析結果に応じてＯＦＤＭ受信信号の復調処理を中止させる復調処理中止手段とを備えることを特徴とする。
【００４４】
そして、本発明のＯＦＤＭ復調回路の前記分析手段は、復調前のＯＦＤＭ受信信号と、該復調前のＯＦＤＭ受信信号を遅延させた信号との相関値を求める相関手段と、該相関手段により得られた相関値に基づき、復調処理を開始させる相関値のピーク位置と復調処理を継続させる相関値のピーク位置とをそれぞれ検出するピーク検出手段とを有することを特徴とする。
【００４５】
また、本発明のＯＦＤＭ復調回路の前記分析手段は、復調前のＯＦＤＭ受信信号と、対象となるＯＦＤＭ方式に応じて予め準備された信号系列との相関値を求める相関手段と、該相関手段により得られた相関値に基づき、復調処理を開始させる相関値のピーク位置と復調処理を継続させる相関値のピーク位置とをそれぞれ検出するピーク検出手段とを有することを特徴とする。
【００４６】
さらに、本発明のＯＦＤＭ復調回路の前記相関手段は、ＯＦＤＭ受信信号の復調に用いられるウィンドウ時間幅をＴｗとしたとき、前記復調前のＯＦＤＭ受信信号を遅延させた信号の遅延時間が、ウィンドウ時間幅Ｔｗ以下であることを特徴とする。
また、本発明のＯＦＤＭ復調回路の前記ピーク検出手段は、復調処理を開始させる相関値のピーク位置の検出閾値をＳth1、前記復調処理を継続させる相関値のピーク位置の検出閾値をＳth2としたとき、Ｓth1＜Ｓth2であることを特徴とする。
【００４７】
また、本発明のＯＦＤＭ復調回路の前記ピーク検出手段は、復調処理を開始させる相関値のピーク位置の分析期間をＴ1、復調処理を継続させる相関値のピーク位置の分析期間をＴ2としたとき、Ｔ1＜Ｔ2であることを特徴とする。
そして、本発明のＯＦＤＭ復調回路の復調処理中止手段は、前記ピーク検出手段が復調処理を開始させる相関値のピーク位置を検出してから所定時間以内に、該ピーク検出手段が復調処理を継続させる相関値のピーク位置を検出できない場合は、ＯＦＤＭ受信信号の復調処理を中止させることを特徴とする。
【００４８】
さらにまた、本発明のＯＦＤＭ受信装置は、これら構成によりなるＯＦＤＭ復調回路を備えることを特徴とする。
これら構成によって、本発明のＯＦＤＭ復調回路及びＯＦＤＭ受信装置によれば、ＯＦＤＭ受信信号の観測期間（分析期間）を短くし、早期に復調処理を開始させることができる。
【００４９】
【発明の実施の形態】
以下、添付図面を参照しながら本発明の好適な実施の形態について詳細に説明する。
図１は、本発明の一実施の形態に係るＯＦＤＭ復調回路のブロック図を示す。
なお、本実施の形態のＯＦＤＭ復調回路100の説明に当たって、従来のＯＦＤＭ復調回路500の構成と同様部分については、符号の下２桁部分について同一符号を付す。
【００５０】
図２は、本実施の形態のＯＦＤＭ復調回路のパケットのフォーマットの一例を示す。
本実施の形態においても、図２に示すように、ＯＦＤＭ変調信号に対応するＯＦＤＭ受信信号のパケットＰのフレーム先頭には、搬送波周波数誤差検出、シンボル同期等を行うときに利用されるプリアンブル信号が付加されている。このプリアンブル信号は、時間軸上の区間の長さがＴｗ/４で、既知で同一の８個のスタートシンボルＳＳが繰返し配置されて形成されている。
【００５１】
パケットＰは、最初にこのプリアンブル信号としてのスタートシンボルＳＳが８個配置された後、引き続いてガードインターバルＧＩとデータシンボルＤＳとが繰返し配置された構成となっている。
このように構成されたＯＦＤＭ受信信号は、ＯＦＤＭ復調回路100の遅延回路101，乗算器103，自乗器113，及び遅延回路151にそれぞれ入力される。
この遅延回路101では、Ｔｗ/４時間だけＯＦＤＭ受信信号が遅延される。
【００５２】
ここで、時間ＴｗはＯＦＤＭ信号の変調および復調で用いられるＩＦＦＴ（Inverse Fast Fourier Transform）およびＦＦＴ（Fast Fourier Transform）ウィンドウの幅である。
この遅延回路101の出力信号は、共役複素信号生成回路102に入力される。
この共役複素信号生成回路102で生成された共役複素信号は、現在のＯＦＤＭ受信信号と乗算器103で複素乗算され、両信号の相互相関値が演算される。乗算器103の出力信号は、移動平均フィルタ104に入力される。
【００５３】
移動平均フィルタ104では、乗算器103の出力を移動平均して、本実施の形態においては７×Ｔｗ/４時間の平均演算を行う。移動平均フィルタ104の出力信号は、自乗器105に入力され、自乗器105からは電力信号に変換された出力信号が、ピーク検出器121，122に出力される。
また、自乗器113に入力されるＯＦＤＭ受信信号は、自乗器113で自乗演算されて、自己相関値として移動平均フィルタ114に入力される。
【００５４】
移動平均フィルタ114では、自乗器113の出力を移動平均して、前述の移動平均フィルタ104と同じく７×Ｔｗ/４時間の平均演算を行う。移動平均フィルタ114の出力信号は、自乗器115に入力されて電力信号に変換され、ピーク検出器121，122に入力される。
ピーク検出器121は、自乗回路105の出力信号を自乗回路115の出力信号で除算し、その除算した信号の大きさが予め設定された閾値Ｓth1を超えると、復調処理の開始のためのシンボルタイミング信号を、復調処理開始回路161，復調処理中止回路162，搬送波周波数誤差検出回路141及びＦＦＴウィンドウ制御回路142に出力する。
【００５５】
そして、このピーク検出器121からのシンボルタイミング信号の入力により、ＯＦＤＭ受信信号のパケットが受信されたとして、復調処理開始回路161は復調処理を開始させる一方、搬送波周波数誤差検出回路141は移動平均フィルタ104の出力信号から搬送波周波数誤差を検出して位相回転器152に出力し、ＦＦＴウィンドウ制御回路142はウィンドウタイミング制御を開始し、制御信号を同じく位相回転器152に出力する構成になっている。
【００５６】
これより、上述した遅延回路101，共役複素信号生成回路102，乗算器103，移動平均フィルタ104，自乗器105，自乗器113，移動平均フィルタ114，自乗器115，及びピーク検出器121をまとめて、シンボルタイミング信号検出部130とみなすことができる。
一方、遅延回路151は、上述のシンボルタイミング検出部130，周波数誤差検出器141，及びＦＦＴウィンドウ制御回路142で上記信号処理を行う間、ＯＦＤＭ受信信号を遅延し、位相回転器152に出力する構成になっている。
【００５７】
したがって、遅延回路151から出力されたＯＦＤＭ受信信号は、このシンボルタイミング信号検出部130からのシンボルタイミング信号の出力後は、前述したＯＦＤＭ復調回路500の場合と同様にして、位相回転器152でその周波数オフセットが補償され、ガードインターバル除去回路153ではその付加されているガードインターバルＧＩが除去される。そして、直列並列変換器154ではサブキャリア毎の符号化変調された情報信号に戻され、ＦＦＴ変換器155では時間領域の信号から周波数領域の信号に復調変換され、並列直列変換器156では直列データに変換された符号化変調された情報信号に戻された上で、誤り訂正復号器157で誤り訂正復号が行われ、入力情報信号に復調して出力される構成となっている。
【００５８】
ここで、復調開始回路161を作動させる、すなわちＯＦＤＭ復調回路100による復調処理を開始させるシンボルタイミング信号を出力するための、シンボルタイミング信号検出部130のピーク検出器121の予め設定された閾値Ｓth1は、ＯＦＤＭ受信信号のプリアンブル信号における１つスタートシンボルＳＳの時間軸上の区間の長さ（Ｔｗ/４）が、前述のＯＦＤＭ変調回路400におけるＩＦＦＴ変換器403（図１０参照）及びＦＦＴ変換器155のウィンドウの幅Ｔｗに対して１/４に短縮されているのに合わせて、従来技術における時間軸上の区間の長さＴｗの１つスタートシンボルＳＳの場合の閾値Ｓth（図１２参照）よりも低い値に設定されている。
【００５９】
このため、本実施の形態のＯＦＤＭ復調回路100によれば、ＯＦＤＭ受信信号の受信から復調開始までの時間は、ＩＦＦＴ変換器403（図１０参照）及びＦＦＴ変換器155のウィンドウの幅Ｔｗよりも小さい、略Ｔｗ/４時間にまで短縮可能な構成になっている。
その一方で、本実施の形態のＯＦＤＭ復調回路100においては、上述のピーク検出器121とは別に、ピーク検出器122が設けられている。
【００６０】
ピーク検出器122は、自乗回路105の出力信号を自乗回路115の出力信号で除算し、その除算した信号の大きさが予め設定された閾値Ｓth2を超えると、復調処理を継続させるためのシンボルタイミング信号を復調処理中止回路162に出力する。
これより、上述した遅延回路101，共役複素信号生成回路102，乗算器103，移動平均フィルタ104，自乗器105，自乗器113，移動平均フィルタ114，自乗器115，及びピーク検出器122をまとめて、シンボルタイミング信号分析部190とみなすことができる。
【００６１】
このピーク検出器122の閾値Ｓth2は、前述したピーク検出器121の閾値Ｓth1が復調処理を早く開始させるために低く設定されているのに対し、雑音や隣接チャンネル干渉の影響を受けにくいように、閾値Ｓth1よりも高く設定されている。
本実施の形態では、このピーク検出器122の閾値Ｓth2は、ＯＦＤＭ受信信号のプリアンブル信号における１つスタートシンボルＳＳの時間軸上の区間の長さがＴｗ/４になっており、ＯＦＤＭ受信信号の受信から復調開始までの時間が略Ｔｗ/４時間にまで短縮可能なこととは反対に、移動平均フィルタ104及び移動平均フィルタ114の平均演算のための時間は略７×Ｔｗ/４時間まで取得することが可能になるので、閾値Ｓth1よりもずっと高い値に設定することができ、雑音や隣接チャンネル干渉の影響を回避しやすくなる。
【００６２】
そして、復調処理中止回路162は、ピーク検出器121からのシンボルタイミング信号が入力されると、上述のような復調処理が開始されたとして、予め設定されている一定時間Ｔの計時を開始する一方、この一定時間Ｔの計時中にピーク検出器122からのシンボルタイミング信号が入力される否かを監視する。
【００６３】
そして、復調処理中止回路162は、一定時間Ｔの計時中にピーク検出器122からのシンボルタイミング信号が入力された場合には、復調処理を開始させた位置、すなわちピーク検出器121からシンボルタイミング信号が出力された時点が正しいものとして復調処理をそのまま継続させる。
【００６４】
これに対し、この一定時間Ｔの計時中にピーク検出器122からタイミング信号が入力されない場合は、復調処理中止回路162は、復調処理を開始させた位置、すなわちピーク検出器121からシンボルタイミング信号が出力された時点が誤っていたものとして、一定時間Ｔの計時完了をもって、復調処理中止信号を出力する構成になっている。
前述したピーク検出器121の閾値Ｓth1，ピーク検出器122の閾値Ｓth2，及びこの復調処理中止回路162の一定時間Ｔは、移動平均フィルタ104，114それぞれが平均演算を行うための時間、すなわち分析期間に応じて設定されている。
【００６５】
図３は、時刻ｔにおける、ＯＦＤＭ受信信号とＯＦＤＭ受信信号をＴｗ/４時間遅延させた信号との相関値を示す図である。
図４は、ＯＦＤＭ復調回路100の動作を示すフローチャートである。
次に、これら図面に基づき、ＯＦＤＭ復調回路100の動作について説明する。
ＯＦＤＭ復調回路100は、受信信号（変調ベースバンド信号）に対する、遅延演算，移動平均演算，相関演算等といった、シンボルタイミング信号検出のための各種演算処理を受信信号待ち受け状態の処理として行い（ステップＳ111）、そのピーク検出処理によって、ＯＦＤＭ受信信号とＯＦＤＭ受信信号をＴｗ/４時間遅延させた信号との相関値（自乗回路105の出力信号を自乗回路115の出力信号で除算した信号の大きさ）が閾値Ｓth1を越える（ステップＳ112）と、ピーク検出器121がこれを検出して復調開始のためのシンボルタイミング信号を復調処理開始回路161等に出力し、復調処理が開始される（ステップＳ113）。
【００６６】
そして、このシンボルタイミング信号が同じく供給される復調処理中止回路162は、このシンボルタイミング信号の供給によって一定時間Ｔの計時を開始する。
ここで、上記復調処理を開始させた位置が正しいとすれば、一定時間Ｔ以内に相関値は閾値Ｓth2を超えるはずである。
そこで、一定時間Ｔ以内に相関値が閾値Ｓth2を超えた、すなわち復調処理中止回路162が一定時間Ｔを計時する前にピーク検出器122から復調継続のためのシンボルタイミング信号が復調処理中止回路162に供給された（ステップＳ115）ときは、復調処理中止回路162は一定時間Ｔの計時をリセット/ストップして、そのまま上記ステップＳ112によるシンボルタイミング信号に基づく復調処理を継続させ（ステップＳ116）、誤り検出器158によって復調された入力情報信号に復号誤りが検出されなかった場合は（ステップＳ117）、誤り訂正復号器157の出力信号が復調データ（復調された入力情報信号）として出力される（ステップＳ118）。
【００６７】
これに対し、一定時間Ｔ以内に相関値が閾値Ｓth2を超えなかった、すなわち、復調処理中止回路162が一定時間Ｔを計時する前に、ピーク検出器122から復調継続のためのシンボルタイミング信号が復調処理中止回路162に供給されなかった（ステップＳ115）ときは、復調処理中止回路162は、復調処理を開始させた位置が誤っていたものとして、一定時間Ｔの計時完了後には速やかに現在実行中の復調処理（前記ステップＳ11３で開始した復調処理）を中止させ、受信信号の待ち受け状態（ステップＳ111の処理）へと戻る。
【００６８】
この結果、復調処理を開始させるための相関値の閾値Ｓth1を低く設定することができ、復調処理の開始をＯＦＤＭ受信信号の入力時から早く行えるようになり、ＯＦＤＭ受信信号の受信から復調開始までに要する時間を、ＩＦＦＴ変換器403（図１０参照）及びＦＦＴ変換器155のウィンドウの幅Ｔｗよりも小さな、本実施の形態の場合では、略Ｔｗ/４時間にまで短縮できる。
また、ＯＦＤＭ受信信号と誤って雑音や隣接チャンネルの干渉を検出して復調開始してしまった場合でも、この誤検出により開始された復調処理の途中で、このＯＦＤＭ受信信号の誤り検出を発見して実行中の復調処理を中止することができるため、本来のＯＦＤＭ受信信号を検出し損なう可能性もほとんどない。
【００６９】
図５は、本発明の別の実施の形態によるＯＦＤＭ復調回路のブロック図を示す。
前述した実施の形態のＯＦＤＭ復調回路100が、復調開始のためのシンボルタイミング信号を出力するための分析時間と、復調継続のためのシンボルタイミング信号を出力するための分析時間とが、移動平均フィルタ104，105の共用によって同じ（７×Ｔｗ/４時間）であったのに対し、本実施の形態のＯＦＤＭ復調回路200は、復調開始のためのシンボルタイミング信号を出力するための分析時間（Ｔｗ/４時間）と、復調継続のためのシンボルタイミング信号を出力するための分析時間（７×Ｔｗ/４時間）とを異ならせたことが相違する。
【００７０】
そのため、ＯＦＤＭ復調回路200に適用されるＯＦＤＭ信号のパケットのフォーマットは、前述したＯＦＤＭ復調回路100の場合と同じく、図２に示したようになっている。
そして、以下、本実施の形態のＯＦＤＭ復調回路200の説明に当たっては、前述のＯＦＤＭ変調回路100の構成と同様部分については、符号の下２桁部分について同一符号を付し、その説明を省略する。
【００７１】
本実施の形態のＯＦＤＭ復調回路200では、乗算器203の信号出力が移動平均フィルタ204a，204bにそれぞれ供給され、自乗器213の信号出力が移動平均フィルタ214a，214bにそれぞれ供給される構成となっており、移動平均フィルタ204a，204b，214a，214bの出力側には自乗器205a，205b，215a，215bが対応して設けられている。
その上で、移動平均フィルタ204a，214aは信号を保持している期間（分析期間）がＴｗ/４時間、移動平均フィルタ204b，214bは７×Ｔｗ/４時間と異なっている。
【００７２】
これより、上述した遅延回路201，共役複素信号生成回路202，乗算器203，移動平均フィルタ204a，自乗器205a，自乗器213，移動平均フィルタ214a，自乗器215a，及びピーク検出器221をまとめて、シンボルタイミング信号検出部230とみなすことができ、上述した遅延回路201，共役複素信号生成回路202，乗算器203，移動平均フィルタ204b，自乗器205b，自乗器213，移動平均フィルタ214b，自乗器215b，及びピーク検出器222をまとめて、シンボルタイミング信号分析部290とみなすことができる。
【００７３】
図６は、時刻ｔにおける、移動平均フィルタ204a，214aによる分析期間がＴｗ/４時間の場合、移動平均フィルタ204b，214bによる分析期間が７×Ｔｗ/４時間の場合それぞれの、ＯＦＤＭ受信信号とＯＦＤＭ受信信号をＴｗ/４時間遅延させた信号との相関値を示す図である。
本実施の形態のＯＦＤＭ復調回路200では、ピーク検出器221で求められる相関値は分析期間がＴｗ/４時間であるため、そのピーク値が前述の分析期間が７×Ｔｗ/４時間のＯＦＤＭ復調回路100のピーク検出器121で求められる相関値のピーク値よりも低くなる。
【００７４】
しかし分析期間が短いため、その相関値に含まれる雑音成分が少なくなり、前述のＯＦＤＭ復調回路100における復調処理開始回路161よりも高精度に信号検出することができる。
このＯＦＤＭ復調回路200の動作については、前述のＯＦＤＭ復調回路100と同様なので、その説明は省略する。
これにより、本実施の形態のＯＦＤＭ復調回路200は、前述のＯＦＤＭ復調回路100に比べ回路が多少複雑になる。しかし、前述のＯＦＤＭ復調回路100では、ピーク検出器121が、長い分析期間信号を観測した信号（移動平均時間が７×Ｔｗ/４時間の移動平均フィルタ104，114のそれぞれ出力が入力される自乗器105，115のそれぞれ出力）から低い閾値Ｓth1でピーク値を検出するため、雑音成分を多く集めてピーク値を誤検出してしまう可能性が高かったが、本実施の形態のＯＦＤＭ復調回路200では、ピーク検出器221は短い期間の信号（移動平均時間がＴｗ/４時間の移動平均フィルタ204a，214aのそれぞれ出力が入力される自乗器205a，215aのそれぞれ出力）を観測することで済むため、その確率を低減することができる。
【００７５】
図７は、本発明のさらに別の実施の形態によるＯＦＤＭ復調回路のブロック図を示す。
前述した実施の形態のＯＦＤＭ復調回路100，200が、ＯＦＤＭ受信信号とＯＦＤＭ受信信号をＴｗ/４時間遅延させた信号との相関値に基づき、復調処理開始回路161，261に復調開始処理を行わせ、復調処理中止回路162，262に開始された復調処理を継続又は中止させる構成としたが、本実施の形態のＯＦＤＭ復調回路300は、マッチドフィルタ371に備えられている遅延器の長さを分析期間としたことが相違する。
【００７６】
そして、以下、本実施の形態のＯＦＤＭ復調回路300の説明に当たっては、前述のＯＦＤＭ変調回路100の構成と同様部分については、符号の下２桁部分について同一符号を付し、その説明を省略する。
本実施の形態のＯＦＤＭ復調回路300では、ＯＦＤＭ受信信号は、遅延回路301，乗算器303，自乗器313，及び遅延回路351に加え、マッチドフィルタ371に入力される。
【００７７】
マッチドフィルタ371は、ＯＦＤＭ受信信号のプリアンブルデータと、送信したＯＦＤＭ信号に付加したプリアンブルデータ（図１０に示したＯＦＤＭ変調回路400の記憶回路407に記憶されているプリアンブルデータと同一のデータで、予め準備された信号系列からなる）との相関値を、その遅延器（図示省略）を介し出力するようになっている。
このマッチドフィルタ371に備えられている遅延器（図示省略）の出力信号は、ピーク検出器381，382に分岐出力され、一方のピーク検出器381の出力信号は復調処理開始回路361に入力され、他方のピーク検出器382の出力信号は復調処理中止回路362に入力されている。
【００７８】
図８は、時刻ｔにおける、分析期間がＴｗ/４時間の場合、及び分析期間が７×Ｔｗ/４時間の場合それぞれの、マッチドフィルタ371から出力される相関値を示す図である。
ここで、ピーク検出器381は、分析期間、すなわち対象とするマッチドフィルタ371の遅延器の長さをＴｗ/４時間として、マッチドフィルタ371の出力信号のピークを検出し、このピーク値を予め設定されている閾値Ｓth1と比較する。この閾値Ｓth1は、その値が分析期間Ｔｗ/４時間の関係から低めに設定されており、ＯＦＤＭ受信信号の入力に伴い、マッチドフィルタ371の遅延器の長さのピーク値を遅滞無く検出して、早く復調処理を開始できるようになっている。
【００７９】
これに対し、ピーク検出器382は、分析期間、すなわち対象とするマッチドフィルタ371の遅延器の長さを７×Ｔｗ/４時間として、マッチドフィルタ371の出力信号のピークを検出し、このピーク値を予め設定されている閾値Ｓth2と比較する。この閾値Ｓth2は、その値を低く設定してしまうと、雑音や隣接チャンネルの干渉の影響等を受けて誤った位置で、マッチドフィルタ371の遅延器の長さのピーク値を誤検出してしまう可能性が高くなるため、ピーク検出器381の閾値Ｓth1よりも高く設定され、ピーク検出器381よりも分析期間を長くして精度よくピーク値を検出できるようになっている。
【００８０】
そして、復調処理開始回路361は、ピーク検出器381の出力信号が入力されると、復調処理を開始させる。
復調処理中止回路362は、ピーク検出器381の出力信号が入力されると、予め設定されている一定時間Ｔの計時を開始する一方、この一定時間Ｔの計時期間内にピーク検出器382からピーク検出に基づく出力信号が入力されない場合は、既に開始した復調処理を中止させる。
【００８１】
したがって、本実施の形態においては、上述した遅延回路301，共役複素信号生成回路302，乗算器303，移動平均フィルタ304a，自乗器305a，自乗器313，移動平均フィルタ314，自乗器315，及びピーク検出器321をまとめて、シンボルタイミング信号検出部330とみなすことができ、上述したマッチドフィルタ371，及びピーク検出器381，382をまとめて、シンボルタイミング信号分析部390とみなすことができる。
【００８２】
これにより、本実施の形態のＯＦＤＭ復調回路300においては、ピーク検出器381，382に入力される相関信号が、前述の図１，図５に示したＯＦＤＭ復調回路100，200とはマッチドフィルタ371で生成される信号である点が相違するだけで、前述の図４で説明したと同様にして作動し、ＯＦＤＭ復調回路100，200と同様な作用を達成する。
なお、本発明は、以上説明したとおりであるが、その実施の形態はこれらＯＦＤＭ復調回路100，200，300の具体的構成に限定されるものでない。
また、本発明は、その実施の形態をＯＦＤＭ復調回路を例に説明してきたが、このＯＦＤＭ復調回路を適用したＯＦＤＭ受信装置であってもよい。
【００８３】
【発明の効果】
以上のように、本発明によれば、ＯＦＤＭ受信信号の復調において、受信信号の観測期間である分析期間を短くすることができるので、早期にＯＦＤＭ受信信号の信号検出を行うことができ、ひいてはＯＦＤＭ受信信号の復調処理も早期に開始させることができる。
また、誤って復調処理が開始されてしまった場合であっても、その誤って開始された復調処理中に速やかに誤りを検出し、その復調処理を中止させてＯＦＤＭ受信信号の受信待ち状態に戻ることができるので、信号検出の精度を劣化させることもない。
これによって、ＯＦＤＭ受信信号を検出し損なう可能性の低減をはかりながら、復調処理を速やかに開始させることができる。
【図面の簡単な説明】
【図１】本発明の一実施の形態によるＯＦＤＭ復調回路のブロック図である。
【図２】本発明の一実施の形態のＯＦＤＭ復調回路のパケットのフォーマットの一例を示す図である。
【図３】時刻ｔにおける、ＯＦＤＭ受信信号とＯＦＤＭ受信信号をＴｗ/４時間遅延させた信号との相関値を示す図である。
【図４】本発明の一実施の形態のＯＦＤＭ復調回路の動作を示すフローチャートである。
【図５】本発明の別の実施の形態によるＯＦＤＭ復調回路のブロック図である。
【図６】時刻ｔにおける、移動平均フィルタ204a，214aによる分析期間がＴｗ/４時間の場合、移動平均フィルタ204b，214bによる分析期間が７×Ｔｗ/４時間の場合それぞれの、ＯＦＤＭ受信信号とＯＦＤＭ受信信号をＴｗ/４時間遅延させた信号との相関値を示す図である。
【図７】本発明のさらに別の実施の形態によるＯＦＤＭ復調回路のブロック図である。
【図８】時刻ｔにおける、分析期間がＴｗ/４時間の場合、及び分析期間が７×Ｔｗ/４時間の場合それぞれの、マッチドフィルタ371から出力される相関値を示す図である。
【図９】従来のＯＦＤＭ復調回路で用いられるパケットのフレームフォーマットの一例を示す図である。
【図１０】従来のＯＦＤＭ変調回路のブロック図である。
【図１１】従来のＯＦＤＭ復調回路のブロック図である。
【図１２】ＯＦＤＭ受信信号と時間Ｔｗだけ遅延されたＯＦＤＭ受信信号とが移動平均フィルタ404，414に入力されるとき、このＯＦＤＭ受信信号とこの時間Ｔｗだけ遅延されたＯＦＤＭ受信信号との相関値の大きさの時間変化を示す図である。
【図１３】従来のＯＦＤＭ復調回路の作動処理を説明するフローチャートである。
【図１４】ユニークワード遅延検出方式のＯＦＤＭ復調回路で用いられるパケットのフレームフォーマットを示す図である。
【図１５】ＯＦＤＭ復調回路に適用されるユニークワード遅延検出回路のブロック図である。
【図１６】図１５に示したＵＷ遅延検出回路を適用した従来の信号検出回路のブロック図である。
【図１７】ＯＦＤＭ復調回路のユニークワードＵＷ検出の一連の処理についてのフローチャートである。
【符号の説明】
100  ＯＦＤＭ復調回路
101  遅延回路
102  共役複素信号生成回路
103  乗算器
105，113，115  自乗器
104，114  移動平均フィルタ
121，122  ピーク検出器
130  シンボルタイミング信号検出部
161  復調処理開始回路
162  復調処理中止回路
190  シンボルタイミング信号分析部
200  ＯＦＤＭ復調回路
201  遅延回路
202  共役複素信号生成回路
203  乗算器
205a，205b，213，215a，215b  自乗器
204a，204b，214a，214b  移動平均フィルタ
221，222  ピーク検出器
230  シンボルタイミング信号検出部
261  復調処理開始回路
262  復調処理中止回路
290  シンボルタイミング信号分析部
300  ＯＦＤＭ復調回路
330  シンボルタイミング信号検出部
371  マッチドフィルタ
381，382  ピーク検出器
361  復調処理開始回路
362  復調処理中止回路
390  シンボルタイミング信号分析部
【図１】
0003880358.tif 000002
【図２】
0003880358.tif 000003
【図３】
0003880358.tif 000004
【図４】
0003880358.tif 000005
【図５】
0003880358.tif 000006
【図６】
0003880358.tif 000007
【図７】
0003880358.tif 000008
【図８】
0003880358.tif 000009
【図９】
0003880358.tif 000010
【図１０】
0003880358.tif 000011
【図１１】
0003880358.tif 000012
【図１２】
0003880358.tif 000013
【図１３】
0003880358.tif 000014
【図１４】
0003880358.tif 000015
【図１５】
0003880358.tif 000016
【図１６】
0003880358.tif 000017
【図１７】
0003880358.tif 000018